(57)【要約】【課題】  主な目的は、読み取り速度を低下させること無く、色ずれのないカラー画像を得ることができ、副次的な目的は、モノクロ画像を得ることができる画像読取装置及び画像読取方法を提供する。【解決手段】  光源の点灯順をＣ１，Ｃ２，・・・Ｃｎとした場合に、Ｃ１の光源点灯開始時刻とＣｎ番目の光源消灯時刻とが近づくように制御する機能を光源制御手段が有し、かつＣｎ番目の光源消灯時刻から次ラインのＣ１番目の光源点灯開始時刻までの間に原稿画像と光源部とが相対的に移動するよう制御する機能を移動制御手段が有することにより、読み取り速度を低下させること無く、色ずれのないカラー画像を得ることができる。また、光源の点灯色を、ラインセンサの読取ラインごとに切り替えて点灯するカラー読取機能と、読取ラインで切り替えず同じ光源を点灯させるモノクロ読取機能を有することにより、モノクロ画像を得ることができる。【選択図】  図７
2005086278.tif 000002
【特許請求の範囲】
【請求項１】
原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、
前記光源の点灯順をＣ１，Ｃ２，・・・Ｃｎとした場合に、Ｃ１の光源点灯開始時刻とＣｎ番目の光源消灯時刻とが近づくように制御する機能を前記光源制御手段が有し、かつＣｎ番目の光源消灯時刻から次ラインのＣ１番目の光源点灯開始時刻までの間に前記原稿画像と前記光源とが相対的に移動するよう制御する機能を前記移動制御手段が有することを特徴とする画像読取装置。
【請求項２】
原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、
前記光源の点灯順をＣ１，Ｃ２，・・・Ｃｎとした場合に、Ｃ１番目の光源点灯開始時刻とＣｎ番目の光源消灯時刻とが近づくように制御する機能を光源制御手段が有し、かつＣｎ−１番目の光源消灯時刻から次ラインのＣ２番目の光源点灯開始時刻までの間に前記原稿画像と前記光源とが相対的に移動するよう制御する機能を前記移動制御手段が有することを特徴とする画像読取装置。
【請求項３】
原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、
前記光源の点灯順をＣ１，Ｃ２，・・・Ｃｎとした場合に、Ｃ１番目の光源点灯開始時刻とＣｎ番目の光源消灯時刻とが近づくように制御する機能を前記光源制御手段が有し、かつＣｎ−１番目の光源消灯時刻からＣｎ番目の光源消灯時刻の間に移動手段の移動を開始し、次ラインのＣ１番目の光源点灯開始時刻からＣ２番目の光源点灯開始時刻の間に前記移動手段の移動が終了するように制御する機能を前記移動制御手段が有することを特徴とする画像読取装置。
【請求項４】
前記光源の点灯色を、前記ラインセンサの読取ラインごとに切り替えて点灯するカラー読取機能と、読取ラインで切り替えず同じ光源を点灯させるモノクロ読取機能とを有する、請求項１から３のいずれか１項記載の画像読取装置。
【請求項５】
前記モノクロ読取時には、常に前記原稿画像と前記光源とが相対的に移動するよう制御する機能を移動制御手段が有することを特徴とする請求項４記載の画像読取装置。
【請求項６】
前記光源の色は、赤、緑、及び青の少なくとも１色からなることを特徴とする請求項１から５のいずれか１項記載の画像読取装置。
【請求項７】
光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、
前記光源の点灯順をＣ１，Ｃ２，・・・Ｃｎとした場合に、Ｃ１の光源点灯開始時刻とＣｎ番目の光源消灯時刻とが近づくように制御し、かつＣｎ番目の光源消灯時刻から次ラインのＣ１番目の光源点灯開始時刻までの間に前記原稿画像と前記光源とが相対的に移動するよう制御することを特徴とする画像読取方法。
【請求項８】
光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、
前記光源の点灯順をＣ１，Ｃ２，・・・Ｃｎとした場合に、Ｃ１番目の光源点灯開始時刻とＣｎ番目の光源消灯時刻とが近づくように制御し、かつＣｎ−１番目の光源消灯時刻から次ラインのＣ２番目の光源点灯開始時刻までの間に前記原稿画像と前記光源とが相対的に移動するよう制御することを特徴とする画像読取方法。
【請求項９】
光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、
前記光源の点灯順をＣ１，Ｃ２，・・・Ｃｎとした場合に、Ｃ１番目の光源点灯開始時刻とＣｎ番目の光源消灯時刻とが近づくように制御し、かつＣｎ−１番目の光源消灯時刻からＣｎ番目の光源消灯時刻の間に前記移動を開始し、次ラインのＣ１番目の光源点灯開始時刻からＣ２番目の光源点灯開始時刻の間に前記移動が終了するように制御することを特徴とする画像読取方法。
【請求項１０】
前記光源の点灯色を、前記ラインセンサの読取ラインごとに切り替えて点灯し、読取ラインで切り替えず同じ光源を点灯させてモノクロ読取を行うことを特徴とする請求項７から９のいずれか１項記載の画像読取方法。
【請求項１１】
前記モノクロ読取時には、常に前記原稿画像と前記光源とが相対的に移動するよう制御することを特徴とする請求項１０記載の画像読取方法。
【請求項１２】
前記光源の色は、赤、緑、及び青の少なくとも１色からなることを特徴とする請求項７から１１のいずれか１項記載の画像読取方法。
【発明の詳細な説明】
【技術分野】
【０００１】
本発明は、少なくとも一つの光源を点灯しながら原稿を走査して画像の読み取りを行う画像読取装置及び画像読取方法に関する。
【背景技術】
【０００２】
光源切替方式のカラー画像読取装置では、通常赤、緑、及び青の３つの光源を順次切り替えて原稿の第１の方向（主走査方向とする。）に原稿のカラー情報を読み取る。そして原稿またはイメージセンサを第１の方向と直交する第２の方向（副走査方向とする。）に搬送する事により、原稿全体を読み取る。
図１は、従来の画像読取装置における読取部の構成の一例を示した図である。
【０００３】
同図において、第１キャリッジ１０１及び第２キャリッジ１０２を原稿１０３に対して平行かつ副走査方向（図１の矢印Ｐ１方向）に同時に同間隔で移動させる事により、ＣＣＤ１０９で読み取る。基準白板１０４は、画像処理部（図示せず。）でのシェーディング補正データを取り込む際に使用される。尚、１０５は光源、１０６は原稿１０３が載置されると共に光源１０５からの光を原稿１０３に照射させるためのコンタクトガラス、１０７は原稿１０３からの反射光を集光するレンズ、１０８は両キャリッジ１０２、１０３を移動させるスキャナモータである。
図２は、カラー画像読取装置における、光源の構成の一例を示した図である。
【０００４】
原稿２０１を照射する光源として、赤（Ｒ）、緑（Ｇ）、及び青（Ｂ）の３色の光源（Ｒ光源２０２、Ｂ光源２０３、Ｇ光源２０４）を使用し、原稿２０１からの反射光をレンズ２０５で集光し、ＣＣＤ２０６で電気信号に変換している。
ここで、原稿２０１またはＣＣＤ（イメージセンサ）２０６の搬送方式としては、静止した状態で各色の読取を実施し、ＲＧＢ３色の読取終了後に副走査方向の移動を行う静止読み方式と、ＲＧＢ各色の読取と同時に副走査方向の移動を行う移動読み方式とがある。
図３は、静止読み方式における光源点灯タイミングおよびスキャナモータ駆動タイミングの一例を示したタイミングチャート図である。
【０００５】
同図において、ＳＨはイメージセンサ１０９（図１参照）のシフトパルスを示し、ＭＰはスキャナモータ１０８（図１参照）の駆動信号、ＯＳ１はイメージセンサ１０９の出力を示す（例えば、特許文献１参照）。
図４は、光源の点灯期間とキャリッジの移動距離との関係を示すタイミングチャート図である。
【０００６】
折れ線上の白丸は光源の各色の読取位置を示す。静止読み方式では、原稿からの赤色、緑色、及び青色の反射光を読み取るラインとキャリッジを搬送するラインとが必要となる。ここで、反射光を読み取るラインとは例えば図３における各ラインセンサ蓄積１ラインを意味し、キャリッジを搬送するラインとは図３におけるカラー画像１ラインを意味する。
図５は、移動読み方式における光源点灯タイミングおよびスキャナモータ駆動タイミングの一例を示したタイミングチャート図である。
【０００７】
図６は、光源の点灯期間とキャリッジの移動距離との関係を示すタイミング図である。
移動読み方式では、キャリッジを搬送するラインは不要であるため、静止読み方式よりも高速に読み取ることが可能である（例えば、特許文献２、３参照）。
【特許文献１】特開２０００−３３２９６０号公報
【特許文献２】特開２００２−１５２４６６号公報
【特許文献３】特開２００３−１５２９６０号公報
【発明の開示】
【発明が解決しようとする課題】
【０００８】
しかしながら、前述した従来の移動読み方式においては、赤色、緑色、及び青色の反射光の読取位置が副走査方向に画像１ラインの長さに対して１／３ずつずれているため、読取画像に色ずれが発生するという問題がある。
そこで本発明は上記問題点を鑑みてなされたものであり、主な目的は、読み取り速度を低下させること無く、色ずれのないカラー画像を得ることができ、副次的な目的は、モノクロ画像を得ることができる画像読取装置及び画像読取方法を提供することにある。
【課題を解決するための手段】
【０００９】
請求項１記載の発明は、原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、前記光源の点灯順をＣ１，Ｃ２，・・・Ｃｎとした場合に、Ｃ１の光源点灯開始時刻とＣｎ番目の光源消灯時刻とが近づくように制御する機能を前記光源制御手段が有し、かつＣｎ番目の光源消灯時刻から次ラインのＣ１番目の光源点灯開始時刻までの間に前記原稿画像と前記光源とが相対的に移動するよう制御する機能を前記移動制御手段が有することを特徴とする。
【００１０】
請求項２記載の発明は、原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、前記光源の点灯順をＣ１，Ｃ２，・・・Ｃｎとした場合に、Ｃ１番目の光源点灯開始時刻とＣｎ番目の光源消灯時刻とが近づくように制御する機能を光源制御手段が有し、かつＣｎ−１番目の光源消灯時刻から次ラインのＣ２番目の光源点灯開始時刻までの間に前記原稿画像と前記光源とが相対的に移動するよう制御する機能を前記移動制御手段が有することを特徴とする。
【００１１】
請求項３記載の発明は、原稿画像に対して複数色の光を発光する光源と、前記光源の点灯時間およびタイミングを制御する光源制御手段と、前記原稿画像と前記光源とを副走査方向に沿って相対的に移動させる移動装置と、前記移動手段の移動タイミングを制御する移動制御手段と、前記移動装置による前記原稿画像と前記光源との相対移動に際して前記原稿画像から反射される光を画像光として主走査方向に１ライン分ずつ受光するラインイメージセンサを有する画像読取装置において、前記光源の点灯順をＣ１，Ｃ２，・・・Ｃｎとした場合に、Ｃ１番目の光源点灯開始時刻とＣｎ番目の光源消灯時刻とが近づくように制御する機能を前記光源制御手段が有し、かつＣｎ−１番目の光源消灯時刻からＣｎ番目の光源消灯時刻の間に移動手段の移動を開始し、次ラインのＣ１番目の光源点灯開始時刻からＣ２番目の光源点灯開始時刻の間に前記移動手段の移動が終了するように制御する機能を前記移動制御手段が有することを特徴とする。
【００１２】
請求項４記載の発明は、請求項１から３のいずれか１項記載の発明において、前記光源の点灯色を、前記ラインセンサの読取ラインごとに切り替えて点灯するカラー読取機能と、読取ラインで切り替えず同じ光源を点灯させるモノクロ読取機能とを有することを特徴とする。
【００１３】
請求項５記載の発明は、請求項４記載の発明において、前記モノクロ読取時には、常に前記原稿画像と前記光源とが相対的に移動するよう制御する機能を移動制御手段が有することを特徴とする。
【００１４】
請求項６記載の発明は、請求項１から５のいずれか１項記載の発明において、前記光源の色は、赤、緑、及び青の少なくとも１色からなることを特徴とする。
【００１５】
請求項７記載の発明は、光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、前記光源の点灯順をＣ１，Ｃ２，・・・Ｃｎとした場合に、Ｃ１の光源点灯開始時刻とＣｎ番目の光源消灯時刻とが近づくように制御し、かつＣｎ番目の光源消灯時刻から次ラインのＣ１番目の光源点灯開始時刻までの間に前記原稿画像と前記光源とが相対的に移動するよう制御することを特徴とする。
【００１６】
請求項８記載の発明は、光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、前記光源の点灯順をＣ１，Ｃ２，・・・Ｃｎとした場合に、Ｃ１番目の光源点灯開始時刻とＣｎ番目の光源消灯時刻とが近づくように制御し、かつＣｎ−１番目の光源消灯時刻から次ラインのＣ２番目の光源点灯開始時刻までの間に前記原稿画像と前記光源とが相対的に移動するよう制御することを特徴とする。
【００１７】
請求項９記載の発明は、光源から原稿画像に対して複数色の光を照射すると共に前記光源の点灯時間およびタイミングを制御し、前記原稿画像と前記光源とを副走査方向に沿って相対的に移動させ、その移動タイミングを制御し、前記原稿画像と前記光源との相対移動に際して前記原稿画像から反射される光を画像光として主走査方向に１ライン分ずつ受光する画像読取方法において、前記光源の点灯順をＣ１，Ｃ２，・・・Ｃｎとした場合に、Ｃ１番目の光源点灯開始時刻とＣｎ番目の光源消灯時刻とが近づくように制御し、かつＣｎ−１番目の光源消灯時刻からＣｎ番目の光源消灯時刻の間に前記移動を開始し、次ラインのＣ１番目の光源点灯開始時刻からＣ２番目の光源点灯開始時刻の間に前記移動が終了するように制御することを特徴とする。
【００１８】
請求項１０記載の発明は、請求項７から９のいずれか１項記載の発明において、前記光源の点灯色を、前記ラインセンサの読取ラインごとに切り替えて点灯し、読取ラインで切り替えず同じ光源を点灯させてモノクロ読取を行うことを特徴とする。
【００１９】
請求項１１記載の発明は、請求項１０記載の発明において、前記モノクロ読取時には、常に前記原稿画像と前記光源とが相対的に移動するよう制御することを特徴とする。
【００２０】
請求項１２記載の発明は、請求項７から１１のいずれか１項記載の発明において、前記光源の色は、赤、緑、及び青の少なくとも１色からなることを特徴とする。
【発明の効果】
【００２１】
読み取り速度を低下させること無く、色ずれのないカラー画像を得ることができ、モノクロ画像を得ることができる画像読み取り装置の提供を実現することができる。
【発明を実施するための最良の形態】
【００２２】
本発明における画像読取部および光源の構成は、図１に示した従来の画像読取装置と略同様である。
図７は、本発明にかかる画像読取装置の一実施の形態を示すブロック図であり、ファクシミリ装置のシステム構成を示している。
【００２３】
システムの制御を行う制御部７０６やメモリ７０５、原稿を読み取り画像データに変換する読取部７０１、コピー時の出力や送信画像を出力する書込部７０２、キーＳＷや表示部などを持つ操作部７０４、通信制御を行う通信部７０３、ファクシミリ装置での送受信画像データの圧縮伸長機能を持つ符号化部７０７などで構成されている。尚、７０８はバスラインである。
図８は、本発明にかかる画像読み取り装置のカラー画像読取部のシステム構成の一例を示したブロック図である。
【００２４】
読み取り制御部８０９における光源点灯制御部８１０は、Ｒ光源８０１、Ｇ光源８０２、及びＢ光源８０３の点灯順序および点灯期間を設定する。
光源駆動部８０６は、設定された点灯順序および点灯期間に従って各光源８０１〜８０３を点灯させる。
モータ制御部８１１は、スキャナモータ８０４を動作させる期間および動作速度を設定する。
モータ駆動部８０７は、設定された動作期間および動作速度に従ってスキャナモータを駆動する。
イメージセンサ８０５から出力された色信号は、後段の画像メモリ８１３に一時記憶される。そして必要な色信号が揃った段階で、画像処理部８１２にてカラー画像を形成する。
（請求項１、７関連）
【００２５】
図９は、本発明の画像読取装置にかかる光源点灯タイミングとスキャナモータ駆動タイミングとの関連を示すタイミングチャート図である。
Ｒ光源（赤光源）はイメージセンサの蓄積時間の後半で点灯させ、Ｂ光源（青光源）は蓄積時間の前半で点灯させる。またスキャナモータは、青光源消灯後から次ラインの赤光源点灯時までの間に駆動するようになっている。
図１０は、図９に示したタイミングチャート図に基づく点灯期間とキャリッジの移動距離との関係を示すタイミング図である。
光源点灯時はキャリッジが停止しており、光源の消灯時にキャリッジが移動する。このため赤、緑、及び青の反射光の読取位置にずれは発生しない。
（請求項２、８関連）
【００２６】
図１１は、本発明の画像読取装置にかかる光源点灯タイミングとスキャナモータ駆動タイミングとの関連を示すタイミングチャート図である。
赤光源はイメージセンサの蓄積時間の後半で点灯させ、青光源は蓄積時間の前半で点灯させる。またスキャナモータは、緑光源消灯後から次ラインの緑光源点灯時までの間に駆動する。
図１２は、図１１に示したタイミングチャート図に基づく点灯期間とキャリッジの移動距離との関係を示すタイミングチャート図である。
【００２７】
緑光源点灯時はキャリッジが停止しており、それ以外の期間でキャリッジが移動する。このため赤、緑、及び青の反射光の読取位置にずれが発生するが、そのずれ量は１／３より小さい。また、スキャナモータの駆動速度は移動読取方式とほぼ同等であり、請求項１、７関連のカラー画像読取装置より小さい。
（請求項３、９関連）
【００２８】
図１３は、本発明の画像読取装置にかかる光源点灯タイミングとスキャナモータ駆動タイミングとの関連を示すタイミングチャート図である。赤光源はイメージセンサの蓄積時間の後半で点灯させ、青光源は蓄積時間の前半で点灯させる。またスキャナモータは、緑光源消灯後から次ラインの緑光源点灯時までの間に駆動する。
図１４は、図１３に示したタイミングチャート図に基づく点灯期間とキャリッジの移動距離との関係を示すタイミング図である。
緑光源点灯時はキャリッジが停止しており、それ以外の期間でキャリッジが移動する。このため赤、緑、及び青の反射光の読取位置にずれが発生するが、そのずれ量は請求項２、８関連のカラー画像読取装置より小さい。また、スキャナモータの駆動速度は、請求項１、７関連のカラー画像読取装置より小さい。
（請求項４、５、１０及び１１関連）
【００２９】
図１５は、本発明の画像読取装置にかかるモノクロ読取時の光源点灯タイミングとスキャナモータ駆動タイミングとの関係を示すタイミングチャート図である。
ここでは緑光源のみを毎ラインさせ、モノクロ読取を実現している。スキャナモータは常に動作している。
図１６は、図１５に示したタイミングチャート図に基づく点灯期間およびキャリッジの移動距離を示すタイミングチャート図である。すなわち、モノクロ読取では従来の光源切り替え方式の画像読取装置と同じ動作で原稿を読み取る。
（請求項６、１２関連）
【００３０】
請求項１関連から請求項３関連に光源が赤、緑、及び青の例を記載しているので省略する。
請求項１、７関連のカラー画像読取装置においては、光源の点灯期間を各色で近づくように設定し、かつ光源消灯時に副走査方向の移動を行うため、読取速度を落とすことなく、色ずれのないカラー画像を得られる。
請求項２、３、８、及び９関連のカラー画像読取装置においては、光源の点灯期間を各色で近づくように設定し、かつ副走査方向の移動を主に光源消灯時に行うため、読取速度を落とすことなく、色ずれの小さいカラー画像を得られる。また、副走査方向の移動時の移動速度を抑えられる。
請求項４、５、１１、及び１２関連のカラー画像読取装置においては、上記記載に加えモノクロ読取を実現可能である。
【図面の簡単な説明】
【００３１】
【図１】従来の画像読取装置における読取部の構成の一例を示した図である。
【図２】カラー画像読取装置における、光源の構成の一例を示した図である
【図３】静止読み方式における光源点灯タイミングおよびスキャナモータ駆動タイミングの一例を示したタイミングチャート図である。
【図４】光源の点灯期間とキャリッジの移動距離との関係を示すタイミングチャート図である。
【図５】移動読み方式における光源点灯タイミングおよびスキャナモータ駆動タイミングの一例を示したタイミングチャート図である。
【図６】光源の点灯期間とキャリッジの移動距離との関係を示すタイミング図である。
【図７】本発明にかかる画像読取装置の一実施の形態を示すブロック図であり、ファクシミリ装置のシステム構成を示している。
【図８】本発明にかかる画像読み取り装置のカラー画像読取部のシステム構成の一例を示したブロック図である。
【図９】本発明の画像読取装置にかかる光源点灯タイミングとスキャナモータ駆動タイミングとの関連を示すタイミングチャート図である。
【図１０】図９に示したタイミングチャート図に基づく点灯期間とキャリッジの移動距離との関係を示すタイミング図である。
【図１１】本発明の画像読取装置にかかる光源点灯タイミングとスキャナモータ駆動タイミングとの関連を示すタイミングチャート図である。
【図１２】図１１に示したタイミングチャート図に基づく点灯期間とキャリッジの移動距離との関係を示すタイミングチャート図である。
【図１３】本発明の画像読取装置にかかる光源点灯タイミングとスキャナモータ駆動タイミングとの関連を示すタイミングチャート図である。
【図１４】図１３に示したタイミングチャート図に基づく点灯期間とキャリッジの移動距離との関係を示すタイミング図である。
【図１５】本発明の画像読取装置にかかるモノクロ読取時の光源点灯タイミングとスキャナモータ駆動タイミングとの関係を示すタイミングチャート図である。
【図１６】図１５に示したタイミングチャート図に基づく点灯期間およびキャリッジの移動距離を示すタイミングチャート図である。
【符号の説明】
【００３２】
８０１    Ｒ光源
８０２    Ｇ光源
８０３    Ｂ光源
８０４    スキャナモータ
８０５    イメージセンサ
８０６    光源駆動部
８０７    モータ駆動部
８０８    Ａ／Ｄ変換部
８０９    読取制御部
８１４    出力画像
【図１】
2005086278.tif 000003
【図２】
2005086278.tif 000004
【図３】
2005086278.tif 000005
【図４】
2005086278.tif 000006
【図５】
2005086278.tif 000007
【図６】
2005086278.tif 000008
【図７】
2005086278.tif 000009
【図８】
2005086278.tif 000010
【図９】
2005086278.tif 000011
【図１０】
2005086278.tif 000012
【図１１】
2005086278.tif 000013
【図１２】
2005086278.tif 000014
【図１３】
2005086278.tif 000015
【図１４】
2005086278.tif 000016
【図１５】
2005086278.tif 000017
【図１６】
2005086278.tif 000018